(57)【要約】本発明は、送信分路（１１）を有する移動電話用の回路装置に関しており、第１の周波数帯（ｆＢ１）用の第１の信号線路（２１）と、少なくとも１つの別の周波数帯（ｆＢ２）用の少なくとも１つの別の信号線路（２２）とを有している。アンテナ（４）は、アンテナ（４）を信号線路（２１，２２）の１つと選択的にコンタクト接続するために、スイッチ（５）と接続されている。各信号線路（２１，２２）に直列に増幅器（６１，６２）が接続されており、各増幅器（６１，６２）とスイッチ（５）との間にバンドパスフィルタ（７１，７２）が各周波数領域（ｆＢ１，ｆＢ２）用に、各信号線路（２１，２２）に直列に接続されている。フルバンドを２つのハーフバンドに分割することによって（その際、各ハーフバンドに１つのバンドパスフィルタが設けられている）、挿入損の小さなスプリットバンドデュプレクサを構成することができる。
2005531951.tif 000002
【特許請求の範囲】
【請求項１】
送信分路（１１）を有する移動電話用の回路装置において、
第１の周波数帯（ｆＢ１）用の第１の信号線路（２１）と、少なくとも１つの別の周波数帯（ｆＢ２）用の少なくとも１つの別の信号線路（２２）と、
アンテナ（４）と接続されたアンテナ線路（３）とを有しており、
前記アンテナ線路（３）は、前記アンテナ（４）を前記信号線路（２１，２２）の１つと選択的にコンタクト接続するために、スイッチ（５）と接続されており、
前記各信号線路（２１，２２）に直列に増幅器（６１，６２）が接続されており、
前記各増幅器（６１，６２）と前記スイッチ（５）との間にバンドパスフィルタ（７１，７２）が各周波数領域（ｆＢ１，ｆＢ２）用に接続されている
ことを特徴とする回路装置。
【請求項２】
受信分路（１２）を有しており、該受信分路（１２）は、
別の周波数帯用の別の信号線路（２３）を有しており、
信号線路（２３）に直列に、別の周波数帯用のバンドパスフィルタ（７３）が接続されており、
前記受信分路（１２）及び送信分路（１１）は、サーキュレータ（８）を介してアンテナ線路（３）と接続されている請求項１記載の回路装置。
【請求項３】
バンドパスフィルタ（７１，７２，７３）は、セラミックフィルタとして構成されている請求項１又は２記載の回路装置。
【請求項４】
複数のセラミックフィルタが共通の薄板上に取り付けられている請求項３記載の回路装置。
【請求項５】
スイッチ（５）とバンドパスフィルタ（７１，７２）との間に、インピーダンスマッチング用の各受動構成要素（９１，９２）が接続されている請求項１記載の回路装置。
【請求項６】
サーキュレータ（８）とバンドパスフィルタ（７３）との間の受信分路（１２）に、受動構成要素（９３）がインピーダンスマッチング用に接続されている請求項２記載の回路装置。
【請求項７】
アイソレータ（８）、スイッチ（５）及び受動構成要素（９１，９２，９３）が多層モジュール（１００）に統合されている請求項２から６迄の何れか１記載の回路装置。
【請求項８】
バンドパスフィルタ（７１，７２）は各減衰曲線（Ｋ１，Ｋ２）を有しており、該各減衰曲線（Ｋ１，Ｋ２）は、周波数軸に沿ってシフトすることによってほぼ一致する請求項１から７迄の何れか１記載の回路装置。
【請求項９】
増幅器（６１，６２）は、２６ｄＢよりも小さな増幅度を有している請求項１から８迄の何れか１記載の回路装置。
【発明の詳細な説明】
【技術分野】
【０００１】
本発明は、アンテナ、アンテナ線路並びに信号線路を有する移動電話用回路装置に関する。更に、回路装置は、バンドパスフィルタと増幅器を有している。
【０００２】
移動電話の送信分路用に使用される、冒頭に記載したような回路装置は公知である。送信分路内に使われる周波数帯域は、所謂フルバンド（Ｖｏｌｌｂａｎｄ）を形成する。そのようなフルバンドは、例えば、１．８５〜１．９１ＧＨｚに達することがある。フルバンドは、２つのハーフバンド（Ｈａｌｂｂａｅｎｄｅｒ）に分割され、その際、下側ハーフバンドは、１．８５〜１．８８ＧＨｚに達し、上側ハーフバンドは、１．８８〜１．９１ＧＨｚに達する。両ハーフバンドの利用のために、２つの信号線路が送信分路内に設けられている。両信号線路内では、例えば、ＯＦＷフィルタによって処理される信号が、両信号線路間を切り換える切換スイッチを介して、両信号線路に共通の増幅器に達する。この増幅器から、信号は、バンドパスフィルタに供給され、バンドパスフィルタは、増幅器を、バンドパスフィルタの後ろ側に接続されたアンテナから、送信用に利用される周波数帯域の外側で所定の遮断減衰を行うように分離する。
【０００３】
公知の回路装置が有する欠点は、送信分路の両ハーフバンドが、同じバンドパスフィルタを介してアンテナに達することである。しかし、典型的に使われるバンドパスフィルタは、フルバンド全体に亘って最適化されていない減衰曲線を有している。むしろ、特性曲線は、フルバンドの上側領域内で徐々に側面部に移行し、それにより、フルバンドの上側縁部で３．５ｄＢにも挿入損が高まる。それに相応して、このことから、相応に強く構成された増幅器によって補償される必要があるという欠点が生じる。そのような増幅器を用いると、電流消費が高くなり、それにより、通常のように電池で作動される移動電話の作動時間が不利に低減してしまう。
【０００４】
本発明の課題は、送信分路での電流消費を低減した回路装置を提供することにある。
【０００５】
この課題は、請求項１記載の回路装置によって解決される。本発明の有利な実施例は、別の従属請求項に記載されている。
【０００６】
送信分路を有している移動電話用の回路装置が設けられている。送信分路内には、第１の周波数帯域用の信号線路と、少なくとも１つの別の周波数帯域用の別の信号線路とが設けられている。更に、アンテナと接続されたアンテナ線路が設けられている。アンテナを選択的に各信号線路の一方にコンタクト接続するために、アンテナは、スイッチと接続される。各信号線路と直列に、増幅器が接続されている。各増幅器とスイッチとの間に、相応の周波数帯域用のバンドパスフィルタが接続されている。
【０００７】
回路装置が有する利点は、各信号線路に対して、固有のバンドパスフィルタが設けられており、このバンドパスフィルタは、減衰に関して、このバンドに最適化することができ、つまり、バンドパスフィルタでは、非常に僅かな損失しか生じない。これは、有利には、各々相応の受信バンドが、周波数軸上で相応にかなり離隔しているようにして可能である。こうすることによって、更に、増幅器を比較的弱く構成することができ、それにより、増幅器の電流消費を下げることができ、従って、それと同時に、移動電話の作動時間を有利に増やすことができる。
【０００８】
回路装置の実施例では、更に、別の周波数帯域用の別の信号線路を有している受信分路が設けられている。信号線路と直列に、別の周波数帯域用のバンドパスフィルタが接続されている。回路装置の受信分路及び送信分路は、サーキュレータを介してアンテナ線路と接続することができる。
【０００９】
有利には、回路装置のバンドパスフィルタは、セラミックフィルタとして構成されている。そのようなセラミックフィルタは、例えば、貫通孔を有するセラミック体として構成されている。フィルタ機能は、外部メタリングによって短絡された２重遮蔽線路によって達成される。しかし、バンドパスフィルタは、ＯＦＷフィルタの形式で構成してもよい。
【００１０】
回路装置を小型に構成するために、有利には、セラミックフィルタの幾つかを共通の薄板と接続するとよく、その際、薄板は、セラミックフィルタの上側に設けられている。この共通の薄板は、更に、それと同時に、共通のアース端子として使うことができる。
【００１１】
更に、有利には、各信号線路中で、スイッチとバンドパスフィルタとの間に、各々１つの受動構成要素を、インピーダンスマッチングのために接続するとよい。そのような受動構成要素は、例えば、πフィルタ又は例えば線路にするとよい。そのような、インピーダンスマッチング用の受動構成要素によって、回路装置の損失を更に低減することができる。更に、フィルタ特性に依存せずに、有利には、受信分路内のアイソレータとバンドパスフィルタとの間に、受動構成要素をインピーダンスマッチング用に接続するとよい。
【００１２】
回路装置の所要スペースを減らすために、および、回路装置を小型に構成するために、アイソレータと各受動構成要素とを多層基板に統合するとよい。多層基板の上側には、更にスイッチを取り付けることができる。そのような多層基板は、例えば、名称”ＬＴＣＣ−Ｍｏｄｅｌｌ＝Ｌｏｗ  Ｔｅｍｐｅｒａｔｕｒｅ  Ｃｏｎｆｉｒｅｄ  Ｃｅｒａｍｉｃ−Ｍｏｄｕｌ”として公知である。そのようなＬＴＣＣ−Ｍｏｄｕｌｅは、スペースを節約して製造することができ、種々異なった多数の受動構成要素と能動構成要素を有している。
【００１３】
増幅器のエネルギ消費を有効に低減するために、有利には、回路装置の増幅器が、２６ｄＢよりも小さな増幅度Ｐｏｕｔ／Ｐｉｎを有しているようにするとよい。
【００１４】
更に有利には、バンドパスフィルタが特に相応の周波数領域にマッチングされているようにするとよい。このことは、例えば、原理的にフルバンドのフィルタリング用に適しているが、フルバンドの高周波の端部で高い減衰を有しているバンドパスフィルタのフィルタ曲線を、回路装置内のバンドパスフィルタ用のベースとして使用することによって達成することができる。例えば、フルバンド用のバンドパスフィルタを下側のハーフバンド用に使用することができる。バンドパスフィルタの減衰曲線をずらすこと（構成部品（セラミック体）を短くしてから、続いて最適化することによって容易に実施することができる）によって、減衰曲線を上側ハーフバンドにマッチングさせることができる。その結果、両ハーフバンドに対して、バンドパスでの最小減衰を行うことができる。
【００１５】
単に、周波数軸に沿ってずらすことによってほぼ一致させることができる、同じ減衰曲線を使用することによって、回路装置を構成するために、新規のバンドパスフィルタを開発する必要はない。むしろ、有利には、原理的に、フルバンドのフィルタリングに適している公知のバンドパスフィルタを使用することができる。
【００１６】
以下、本発明について、図示の実施例を用いて詳細に説明する。
【００１７】
図１は、回路装置の略図を示し、
図２は、図１の回路装置で使うことができるバンドパスフィルタの減衰曲線を示す図である。
【００１８】
図１は、移動電話用の回路装置を示す。送信分路１１と受信分路１２とが設けられている。受信分路１２は、ノイズの少ない増幅器に接続されている。送信分路１１は、（図１に示されていない）チップセットと接続されており、このチップセットは、有効信号を変調し、送信分路の各々の周波数領域内に高域で混合する。送信分路１１は、２つの信号線路２１，２２を有しており、受信分路１２は、信号線路２３だけを有している。チップセットから生じて、信号線路２１，２２で伝送される信号は、表面波フィルタ２０１，２０２で処理される。この信号は、続いて、各々増幅器６１，６２に伝送され、この増幅器６１，６２は、音声信号を、信号送信に適しているように増幅する。増幅器６１，６２を、回路装置のアンテナ４から分離するために、バンドパスフィルタ７１，７２が設けられており、各バンドパスフィルタは、各々信号線路２１，２２に対して別個に適合化されている。各々ハーフバンドで作動される各信号線路２１，２２用に、固有の増幅器６１，６２並びに固有のバンドパスフィルタ７１，７２が設けられているので、バンドパスフィルタ７１，７２の挿入損を有利に低減することができ、その結果、増幅器６１，６２を比較的小さな電力用に構成することができる。そうすることによって、回路装置のエネルギ消費も所要スペースも減らすことができる。比較的小さな電力用に構成されている増幅器６１，６２は、大きな電力用に構成されている増幅器よりも僅かなスペースしか必要としない。送信分路１１は、更にＬＴＣＣ−Ｍｏｄｕｌ  １００、つまり、多層基板と接続されており、この多層基板の上側には、例えば、スイッチ５が統合されている。多層基板に、アンテナ４と接続されたアンテナ線路３を選択的に信号線路２１又は信号線路２２と接続するスイッチ５が統合されている。スイッチ５とバンドパスフィルタ７１，７２との間のインピーダンスマッチングのために、モジュール１００に統合された受動構成要素９１，９２が設けられている。受動構成要素９１，９２は、例えば、πフィルタ又は線路にするとよい。スイッチ５は、例えば、ＧａＡｓ電界効果トランジスタにするとよい。しかし、ＰＩＮダイオード製にしてもよい。更に、スイッチ５をマイクロメカニックコンポーネントから構成してもよい。そうすると、このために設けられたシステムで、直線性が良好であるという重要な利点と、損失が小さいという利点が達成される。
【００１９】
更に、アイソレータ８を設けてもよく、このアイソレータは、フェライト材料を用いることによってモジュール１００に統合することができる。アイソレータ８の役割は、送信分路１１を受信分路１２から分離することにある。受信分路１２の信号線路２３には、バンドパスフィルタ７３が接続されており、このバンドパスフィルタは、受動構成要素９３を介してアイソレータ８と接続されている。アイソレータは、その位置が可変であり、図１に図示したものに限定されない。本発明の変形実施例では、アイソレータを、多層モジュール１００の外側に設けてもよい。
【００２０】
更に、多層モジュール１００には、ダイプレクサが統合されており、このダイプレクサは、アンテナから見て、送信分路の周波数領域並びにもっと低い周波数領域に分割する。つまり、アンテナ電力は、多層モジュール内でダイプレクサに接続される。
【００２１】
送信分路１１内で使われる周波数帯（フルバンドとも呼ばれる）は、例えば、１．８５〜１．９１ＧＨｚに達することがある。このフルバンドは、２つのハーフバンドに分割されている。その際、第１のハーフバンドは、図２に示されていて、１．８５ＧＨｚ〜１．８８ＧＨｚに達する周波数領域ｆＢ１である。信号線路２１と接続される第１の周波数領域ｆＢ１では、図２にＫ１で示されているフィルタ曲線を有するバンドパスフィルタを使うことができる。フィルタ曲線Ｋ１は、周波数領域ｆＢ１では、非常に僅かな減衰によって特徴付けられる。図２にフィルタ曲線Ｋ１が示されたバンドパスフィルタリング用のフィルタを、フルバンドで使用すると、図２によると、１．８８〜１．９１ＧＨｚに達する周波数領域ｆＢ２を含む第２のハーフバンドに対して、１．９１ＧＨｚの右側バンドエッジで、約３．５ｄＢのかなりの減衰を生じる。図２により、フィルタ曲線Ｋ１に対して周波数軸上で０．０３ＧＨｚだけ右側にシフトされたフィルタ曲線Ｋ２を有するフィルタ７２を設けると有利である。
【００２２】
図２には、フィルタ曲線が示されており、その際、ｄＢで測定されたフィルタの増幅度Ｄが、ＧＨｚで測定された周波数に関して示されている。
【図面の簡単な説明】
【００２３】
【図１】回路装置の略図
【図２】図１の回路装置で使うことができるバンドパスフィルタの減衰曲線を示す図
【符号の説明】
【００２４】
１１  送信分路
１２  受信分路
２１，２２，２３  信号線路
３  アンテナ線路
４  アンテナ
５  スイッチ
６１，６２，６３  増幅器
７１，７２，７３  バンドパスフィルタ
８  アイソレータ
９１，９２，９３  受動構成要素
１００  多層モジュール
２０１，２０２  ＯＦＷフィルタ
Ｋ１，Ｋ２  減衰曲線
ｆＢ１，ｆＢ２  周波数領域
ｆ  周波数
Ｄ  増幅度
【図１】
2005531951.tif 000003
【図２】
2005531951.tif 000004
【国際調査報告】
2005531951.tif 000005
2005531951.tif 000006
2005531951.tif 000007
2005531951.tif 000008
2005531951.tif 000009
2005531951.tif 000010